(57)【要約】【課題】複数の基地局装置から接続先として適した基地局装置を選択する。【解決手段】無線通信システムは、無線により通信を行う端末局装置と複数の基地局装置とを備える。基地局装置は、複数の基地局装置のうちの端末局装置が通信を確立する基地局装置を選択するための優先度を示す優先度情報を送信する基地局側無線通信部を備え、端末局装置は、複数の基地局装置各々から優先度情報を受信する端末側無線通信部と、端末側無線通信部が受信した優先度情報に基づいて複数の基地局装置のうちの自装置が通信を確立する基地局装置を選択する選択部と、を備える。【選択図】図３
2015046841.tif 000002
【特許請求の範囲】
【請求項１】
複数の基地局装置と端末局装置とが無線により通信を行う無線通信システムであって、
前記基地局装置は、
前記複数の基地局装置のうちの前記端末局装置が通信を確立する基地局装置を選択するための優先度を示す優先度情報を送信する基地局側無線通信部
を備え、
前記端末局装置は、
前記複数の基地局装置各々から前記優先度情報を受信する端末側無線通信部と、
前記端末側無線通信部が受信した前記優先度情報に基づいて前記複数の基地局装置のうちの自装置が通信を確立する基地局装置を選択する選択部と、
を備える無線通信システム。
【請求項２】
前記優先度情報とは、前記基地局装置と前記端末局装置とが通信するための暗号化方式を示す情報である
請求項１に記載の無線通信システム。
【請求項３】
複数の基地局装置と端末局装置とが通信を行う無線通信システムにおける前記基地局装置であって、
前記複数の基地局装置のうちの前記端末局装置が通信を確立する基地局装置を選択するための優先度を示す優先度情報を送信する基地局側無線通信部
を備える基地局装置。
【請求項４】
複数の基地局装置と端末局装置とが無線により通信を行う無線通信システムにおける前記端末局装置であって、
前記複数の基地局装置のうちの前記端末局装置が通信を確立する基地局装置を選択するための優先度を示す優先度情報であって、前記複数の基地局装置各々から送信される優先度情報を受信する端末側無線通信部と、
前記端末側無線通信部が受信した前記優先度情報に基づいて前記複数の基地局装置のうちの自装置が通信を確立する基地局装置を選択する選択部と、
を備える端末局装置。
【請求項５】
複数の基地局装置と端末局装置とが無線により通信を行う無線通信システムにおける前記端末局装置のコンピュータに、
前記複数の基地局装置のうちの前記端末局装置が通信を確立する基地局装置を選択するための優先度を示す優先度情報であって、前記複数の基地局装置各々から送信される優先度情報を通信部に受信させる受信手順、
前記受信手順において受信された前記優先度情報に基づいて前記複数の基地局装置のうちの自装置が通信を確立する基地局装置を選択する選択手順、
を実行させるための基地局装置選択プログラム。
【発明の詳細な説明】
【技術分野】
【０００１】
本発明は、無線通信システム、基地局装置、端末局装置、及び基地局装置選択プログラムに関する。
【背景技術】
【０００２】
従来、端末局装置をネットワークに接続するために、いわゆるルータやブリッジなどの装置が利用され、通信が行われている。このような通信は、有線だけでなく無線によっても行われる。近年では、利用者の利便性向上のため、様々なところに自由に接続可能な無線基地局装置（アクセスポイント）が設置されている。また、基地局装置の小型化も進み、携帯可能なルータであるモバイルルータも広く普及している。このような背景により、端末局装置はネットワークに接続するための基地局装置を複数の基地局装置から選択できる場合がある。複数の基地局装置から接続先の基地局装置を選択する場合、最近接続したことのある基地局装置を選択する方法や、利用者が手動で基地局装置を選択する方法などがある。また、ネットワークに関する装置の選択という観点では、特許文献１には、ネットワーク機器（アドホックネットワークにおける中継機能を持った中継デバイス）の通信コストを算出し、電力残量に応じた細かな通信経路の制御を可能とする技術が開示されている。
【先行技術文献】
【特許文献】
【０００３】
【特許文献１】特許第４８７７７６９号公報
【発明の概要】
【発明が解決しようとする課題】
【０００４】
しかしながら、従来の技術では、必ずしも要求に適う基地局装置を選択することができないという課題があった。例えば、特許文献１には、通信を確立する前の端末局装置による基地局装置の選択方法については記載されておらず、上述の課題を解決できなかった。
【０００５】
本発明は上記の点に鑑みてなされたものであり、複数の基地局装置から接続先として適した基地局装置を選択するための無線通信システム、基地局装置、端末局装置、及び基地局装置選択プログラムを提供する。
【課題を解決するための手段】
【０００６】
本発明は上記の課題を解決するためになされたものであり、本発明の一態様は、複数の基地局装置と端末局装置とが無線により通信を行う無線通信システムであって、基地局装置は、複数の基地局装置のうちの端末局装置が通信を確立する基地局装置を選択するための優先度を示す優先度情報を送信する基地局側無線通信部を備え、端末局装置は、複数の基地局装置各々から優先度情報を受信する端末側無線通信部と、端末側無線通信部が受信した優先度情報に基づいて複数の基地局装置のうちの自装置が通信を確立する基地局装置を選択する選択部と、を備える無線通信システムである。
【０００７】
また、本発明の一態様は、上記の無線通信システムにおいて、優先度情報とは、基地局装置と端末局装置とが通信するための暗号化方式を示す情報である。
【０００８】
また、本発明の一態様は、複数の基地局装置と端末局装置とが通信を行う無線通信システムにおける基地局装置であって、複数の基地局装置のうちの端末局装置が通信を確立する基地局装置を選択するための優先度を示す優先度情報を送信する基地局側無線通信部を備える基地局装置である。
【０００９】
また、本発明の一態様は、複数の基地局装置と端末局装置とが無線により通信を行う無線通信システムにおける端末局装置であって、複数の基地局装置のうちの端末局装置が通信を確立する基地局装置を選択するための優先度を示す優先度情報であって、複数の基地局装置各々から送信される優先度情報を受信する端末側無線通信部と、端末側無線通信部が受信した優先度情報に基づいて複数の基地局装置のうちの自装置が通信を確立する基地局装置を選択する選択部と、を備える端末局装置である。
【００１０】
また、本発明の一態様は、複数の基地局装置と端末局装置とが無線により通信を行う無線通信システムにおける端末局装置のコンピュータに、複数の基地局装置のうちの端末局装置が通信を確立する基地局装置を選択するための優先度を示す優先度情報であって、複数の基地局装置各々から送信される優先度情報を通信部に受信させる受信手順、受信手順において受信された優先度情報に基づいて複数の基地局装置のうちの自装置が通信を確立する基地局装置を選択する選択手順、を実行させるための基地局装置選択プログラムである。
【発明の効果】
【００１１】
本発明によれば、複数の基地局装置から接続先として適した基地局装置を選択することができる。
【図面の簡単な説明】
【００１２】
【図１】本発明の第１の実施形態に係る無線通信システムの一例を示す図である。
【図２】第１の実施形態に係る基地局装置の構成の一例を示すブロック図である。
【図３】第１の実施形態に係る無線通信システムの機能構成の一例を示すブロック図である。
【図４】第１の実施形態に係る優先度設定テーブルの一例を示す表である。
【図５】第１の実施形態に係る端末局装置による基地局装置の選択処理の一例を示すフローチャートである。
【図６】第２の実施形態に係る無線通信システムの機能構成の一例を示すブロック図である。
【図７】第２の実施形態に係る優先度の設定方法の一例を説明する図である。
【発明を実施するための形態】
【００１３】
＜第１の実施形態＞
以下、図面を参照しながら本発明の第１の実施形態について詳述する。図１は、本発明の第１の実施形態に係る無線通信システム１の概念図である。無線通信システム１は、複数の基地局装置２００と端末局装置１００とが無線により通信を行うシステムであり、これらはＬＡＮ（Local  area  network、構内通信網）の一部を構成している。端末局装置１００は、例えばスマートフォンや、タブレット端末、ノートパソコンなどであり、基地局装置２００と無線通信を行う。以下では、端末局装置１００はタブレット端末であるとして説明する。基地局装置２００は、ＬＡＮと外部ネットワークＮＷとを有線または無線により接続するネットワーク装置である。
【００１４】
外部ネットワークＮＷは、例えば、携帯電話網、ＰＨＳ（Personal  handy−phone  system）網、ＶＰＮ（Virtual  private  network）網、専用通信回線網、ＷＡＮ（Wide  area  network）、ＰＳＴＮ（Public  switched  telephone  network；公衆交換電話網）などであり、またはこれらの組み合わせによって構成される情報通信ネットワークである。本実施形態において、端末局装置１００と通信が可能な基地局装置２００は３台（２００−１〜２００−３）として説明するが、端末局装置１００と通信可能な基地局装置２００は複数あればよく、２又は４台以上であってもよい。
【００１５】
本例において、基地局装置２００−１はスマートフォンＡであり、基地局装置２００−２はスマートフォンＢであり、基地局装置２００−３はモバイルルータである。上述のスマートフォンＡ及びＢは、いわゆるテザリング機能を有している。テザリング機能とは、自装置が内蔵する携帯電話網などの外部ネットワークＮＷとの接続機能及び端末局装置１００との接続機能を利用することで、端末局装置１００の外部モデムのように通信を中継する機能である。なお、ここには示していないが、基地局装置２００は外部ネットワークＮＷと有線で接続されていてもよい。また、端末局装置１００は、基地局装置２００と有線で接続されていてもよい。
【００１６】
図２は、本実施形態に係る端末局装置１００の構成の一例を示す図である。端末局装置１００は、ＣＰＵ（Central  processing  unit；中央演算装置）１０と、記憶部１１と、入力部１２と、出力部１３と、無線通信部１４と、電池１５とを備える。これらの部材はバスやＧＰＩＯ（General  purpose  input/output；汎用入出力）などを介して相互に接続されており、電池１５から各部材に電力が供給されている。
【００１７】
ＣＰＵ１０は、記憶部１１に格納されたプログラムを実行することで種々の機能を実現する。記憶部１１は、例えば、ＨＤＤやＳＳＤ、ＥＥＰＲＯＭ、ＲＯＭ、ＲＡＭなどであり、端末局装置１００のＣＰＵ１０が実行する各種プログラム（ファームウェアやアプリケーションプログラムなど）やＣＰＵ１０が行った各種の処理結果を格納する。
【００１８】
入力部１２は、例えばタッチパネルからの入力を検知する接触センサやハードウェアキー、収音した音声を音声信号（電気信号）に変換するマイクロフォンなどを備える。接触センサの検知機構の態様としては種々のものが採用される。例えば、抵抗膜方式や静電容量方式、赤外線方式、表面弾性波方式などの方式を利用した接触検知機構を採用してもよい。出力部１３は、例えば画像を表示する表示部や音声・音響を出力するスピーカを備える。表示部には、液晶ディスプレイや有機ＥＬ（Electroluminescence）ディスプレイなどを用いることができる。タッチパネルは、表示部と上記入力部１２の接触センサとが、例えば、互いに積層配置されて構成される。無線通信部１４は、アンテナや符号化／復号部、変調／復調部、増幅部、アップ／ダウンコンバータなどを備えており、基地局装置２００と無線通信を行うことができる。無線通信部１４は、上位ネットワークと接続する機能を備えていても備えていなくてもよい。
【００１９】
基地局装置２００の構成（図示せず）は、図２に示す端末局装置１００の構成と基本的に同一である。ただし、基地局装置２００の無線通信部は、上位ネットワーク及び端末局装置１００と通信するための構成を備える。
【００２０】
図３は、本実施形態に係る無線通信システム１の機能構成の一例を示すブロック図である。基地局装置２００は、ＬＡＮ側無線通信部２１０と、アップリンク側無線通信部２１２と、制御部２０２と、記憶部２０４とを備える。制御部２０２は、優先度管理部２２０と、電池監視部２３２と、回線速度監視部２３４と、通信量監視部２３６とを備える。記憶部２０４は、その記憶領域に内部状態情報２４０と、暗号化プログラム２６０と、ＳＳＩＤ情報２８０を備える。内部状態情報２４０は、その記憶領域に電池残量情報２４２と、アップリンク側回線情報２４４と、残パケット量情報２４６とを備える。優先度管理部２２０、電池監視部２３２、回線速度監視部２３４、及び通信量監視部２３６は、例えば制御部２０２のＣＰＵが記憶部に格納されたプログラムを実行することにより機能するソフトウェア機能部である。
【００２１】
また、暗号化プログラム２６０には、ＷＰＡ２（Wi−Fi  protected  access  2）暗号化プログラム２６２と、ＷＰＡ（Wi−Fi  protected  access）暗号化プログラム２６４と、ＷＥＰ（Wired  equivalent  privacy）暗号化プログラム２６６との３種類がある。これらのプログラムは、基地局装置２００と端末局装置１００との通信を暗号化するためのプログラムであり、それぞれ暗号化強度が異なっている。これら３つプログラムによる暗号化方式の暗号化強度は、ＷＰＡ２方式が最も高く、その次にＷＰＡ方式が高い。そして、ＷＥＰ方式の暗号化強度が最も低い。優先度設定テーブル２５０には、上記３つの暗号化プログラムによる３種類の暗号化方式と内部状態情報２４０とが対応付けられて管理されている。優先度設定テーブル２５０については後述する。また、ＳＳＩＤ情報２８０は、自装置のＳＳＩＤ（Service  set  identifier）を示す情報である。ＳＳＩＤは基地局装置２００の識別子である。
【００２２】
なお、本実施形態において、暗号化強度の異なる３種類の暗号化方式は、複数の基地局装置２００−１〜２００−３のうちの端末局装置１００が通信を確立する基地局装置を選択するための優先度を示す。当該選択における優先度が高い基地局装置２００は、後述するように暗号化強度の高い暗号化方式を選択するため、端末局装置１００は、複数の基地局装置２００−１〜２００−３から通知された暗号化方式を比較することで、優先度の高い基地局装置を選択することができる。また、このように優先度を従来から使用されてきた暗号化方式と対応させることにより、優先度情報の送信のための新たな通信を発生させることなく、基地局装置２００は、自装置の優先度を端末局装置１００に通知することができる。
【００２３】
アップリンク側無線通信部２１２は、外部ネットワークＮＷと通信を行う。アップリンク側無線通信部２１２が行う外部ネットワークＮＷとの通信状況は、回線速度監視部２３４及び通信量監視部２３６によって監視されている。回線速度監視部２３４は、アップリンク側無線通信部２１２が通信している外部ネットワークＮＷの種類を判別し、当該ネットワークＮＷの通信規格をアップリンク側回線情報２４４として、記憶部２０４に記憶させる。
【００２４】
通信量監視部２３６は、アップリンク側無線通信部２１２を介して受信されたデータの量と送信されたデータの量を集計する。また、通信量監視部２３６は、基地局装置２００のアップリンク側無線通信部２１２が許容されている通信データの量からアップリンク側無線通信部２１２を介して送受信したデータの集計量を減算し、残パケット量情報２４６として記憶部２０４に記憶させる。なお、本実施形態において、通信量監視部２３６は、通信データの量の単位としてパケットを使用し、通信データの許容量の残量を管理する。
【００２５】
優先度管理部２２０は、内部状態情報２４０を取得する。また、優先度管理部２２０は、優先度設定テーブル２５０を参照し、当該優先度設定テーブル２５０から取得した内部状態情報２４０に対応付けられている暗号化方式を選択する。なお、本実施形態において、優先度管理部２２０が選択する暗号化方式は、ＷＰＡ２方式、ＷＰＡ方式、及びＷＥＰ方式のいずれかであるが、使用可能な暗号化方式はこの３つに限定されない。優先度管理部２２０は、選択した暗号化方式を示す情報をＬＡＮ側無線通信部２１０に出力する。ＬＡＮ側無線通信部２１０は、優先度管理部２２０から入力された暗号化方式を示す情報と記憶部２０４に格納されているＳＳＩＤ情報２８０とを、端末局装置１００に送信する。すなわち、ＬＡＮ側無線通信部２１０は、優先度情報を送信する。
【００２６】
端末局装置１００は、端末側無線通信部１１０と、制御部１０２と、記憶部１０４とを備える。制御部１０２は、選択部１２０と、無線基地局管理部１３０とを備える。記憶部１０４は、その記憶領域に無線基地局管理テーブル１４０と、暗号化プログラム１６０を備える。選択部１２０及び無線基地局管理部１３０は、ソフトウェア機能部である。暗号化プログラム１６０は、基地局装置２００が格納するものと同じＷＰＡ２暗号化プログラム１６２と、ＷＰＡ暗号化プログラム１６４と、ＷＥＰ暗号化プログラム１６６とを備える。
【００２７】
端末側無線通信部１１０は、複数の基地局装置２００のＬＡＮ側無線通信部２１０から、優先度情報である暗号化方式を示す情報と基地局装置２００各々のＳＳＩＤを示すＳＳＩＤ情報とを受信する。すなわち、端末側無線通信部１１０は、複数の基地局装置２００各々から優先度情報を受信する。端末側無線通信部１１０は、受信した暗号化方式を示す情報とＳＳＩＤ情報とを無線基地局管理部１３０に出力する。
【００２８】
無線基地局管理テーブル１４０には、自端末局装置１００がこれまでに接続したことのある基地局装置２００のＳＳＩＤと当該接続確立の時刻とが対応付けられて記憶されている。無線基地局管理部１３０は、無線基地局管理テーブル１４０を参照し、端末側無線通信部１１０から入力されたＳＳＩＤ情報が示すＳＳＩＤのうち、自装置が接続したことのある基地局装置２００を示すＳＳＩＤを抽出する。無線基地局管理部１３０は、当該ＳＳＩＤを示すＳＳＩＤ情報と暗号化方式を示す情報との組を選択部１２０に出力する。選択部１２０は、無線基地局管理部１３０から入力された情報が示す暗号化方式各々を確認する。選択部１２０は、当該暗号化方式の暗号化強度を比較し、暗号化強度の高い暗号化方式に対応付けられているＳＳＩＤ情報を選択する。すなわち、選択部１２０は、端末側無線通信部１１０が受信した優先度情報に基づいて複数の基地局装置２００のうちの自装置が通信を確立する基地局装置を選択する。
【００２９】
選択部１２０は、選択したＳＳＩＤ情報と暗号化方式を示す情報との組を端末側無線通信部１１０に出力する。端末側無線通信部１１０は、選択部１２０から入力されたＳＳＩＤ情報の送信元の基地局装置２００に対して、端末局装置１００によって当該基地局装置２００が選択されたことを通知する。基地局装置２００と端末局装置１００とは、基地局装置２００が通知した暗号化方式の暗号化プログラム１６２〜１６６及び対応する暗号化プログラム２６２〜２６６を利用し、暗号化された通信を確立する。通信を確立したら、端末局装置１００の無線基地局管理部１３０は、接続先の基地局装置２００のＳＳＩＤと接続した時刻とを無線基地局管理テーブル１４０に記憶させる。
【００３０】
図４は、本実施形態に係る優先度設定テーブル２５０の例を示す表である。図４（ａ）〜図４（ｃ）はそれぞれ、図１の基地局装置２００−１〜２００−３の優先度設定テーブルの例を示す表である。以下、混同を避けるため、基地局装置２００−１〜２００−３の各機能ブロック（図３）に、−１〜−３の符号をそれぞれ付けて示す。例えば、基地局装置２００−１の優先度設定テーブルは２５０−１とし、基地局装置２００−２の優先度設定テーブルは２５０−２とし、基地局装置２００−３の優先度設定テーブルは２５０−３とする。図４（ａ）〜図４（ｃ）に示される優先度設定テーブル２５０の例において、列Ｃ４００は、暗号化プログラムを示す。また、列Ｃ４０２は、基地局装置２００の内部状態情報２４０のうちの電池残量情報２４２が示す電池の残量を示す。また、列Ｃ４０４は、基地局装置２００の内部状態情報２４０のうちのアップリンク側回線情報２４４が示す回線種別を示す。また、列Ｃ４０６は、基地局装置２００の内部状態情報２４０のうちの残パケット量情報が示すアップリンク側無線通信部２１２を介して行える通信のデータ残量を示す。
【００３１】
図４（ａ）は、図１の基地局装置２００−１の優先度設定テーブル２５０−１の一例である。本実施形態において基地局装置２００−１はスマートフォンである。本例において、基地局装置２００−１の電池残量は、１００〜６０％、５９〜３０％、２９〜０％の３つに分類されている。電池残量は多い方が継続的な通信が可能なため、端末局装置１００にとって、より電池残量が多い基地局装置が通信相手として適している。従って、電池残量の３つの分類のうちのより電池残量が多い場合が、より暗号化強度の高い暗号化方式と対応付けられている。電池残量が、例えば９０％と多い場合、優先度管理部２２０は優先度設定テーブル２５０において１００〜６０％の電池残量に対応付けられている暗号化強度の高い暗号化方式のＷＰＡ２暗号化方式を選択する。また電池残量が、例えば１０％と少ない場合、優先度管理部２２０は、優先度設定テーブル２５０において２９〜０％の電池残量に対応付けられている暗号化強度の低い暗号化方式のＷＥＰ暗号化方式を選択する。
【００３２】
基地局装置２００−１のアップリンク側無線通信部２１２−１が接続しうる通信回線の規格には、ＬＴＥ（Long  term  evolution)、ＨＳＰＡ（High  speed  packet  access）、及びＷ−ＣＤＭＡ(Wideband  code  division  multiple  access)の３種類がある。これら３種類の通信回線の速度は、ＬＴＥが最も早く、その次にＨＳＰＡが速い。Ｗ−ＣＤＭＡはこの３種類の回線の中では最も遅い。基地局装置２００は、複数の通信回線が利用可能な場合は、より回線速度の速い通信回線を優先的に選択して接続する。端末局装置１００にとって、より回線の速度が速い基地局装置が通信相手として適している。従って、３種類の通信回線のうちのより通信速度が速い回線が、より暗号化強度の高い暗号化方式と対応付けられている。
【００３３】
例えば、アップリンク側無線通信部２１２−1が通信速度の速いＬＴＥ回線を介して通信を行なっている場合、優先度管理部２２０−１は優先度設定テーブル２５０−１においてＬＴＥと対応付けられている暗号化強度の高いＷＰＡ２暗号化方式を選択する。また、アップリンク側無線通信部２１２−１が、通信速度が中程度の速さのＨＳＰＡ回線を介して通信を行なっている場合、優先度管理部２２０−１は優先度設定テーブル２５０−１においてＨＳＰＡ回線と対応付けられている暗号化強度が中程度のＷＰＡ暗号化方式を選択する。
【００３４】
基地局装置２００−１のアップリンク側無線通信部２１２−１を介した通信の量は、例えば最大で３ＧＢに設定されている。本例では基地局装置２００−１の残パケット量は、３〜２ＧＢ、２〜１ＧＢ、１〜０ＧＢの３つに分類されている。端末局装置１００にとっては、残パケット量が多い基地局装置の方が、通信量について各別の考慮を払うことなく通信を行うことができるため、接続先として適している。従って、残パケット量の３つの分類のうちのより残容量が多い場合が、より暗号化強度の高い暗号化方式と対応付けられている。残パケット量が、例えば１．５ＧＢと中程度の場合、優先度管理部２２０−１は優先度設定テーブル２５０−１において２〜１ＧＢの残パケット量に対応付けられている暗号化強度が中程度のＷＰＡ暗号化方式を選択する。残パケット量が、例えば０．３ＧＢと少ない場合、優先度管理部２２０−１は優先度設定テーブル２５０−１において１〜０ＧＢの残パケット量に対応付けられている暗号化強度の低いＷＥＰ暗号化方式を選択する。
【００３５】
図４（ｂ）は、上述の通り、基地局装置２００−２の優先度設定テーブル２５０−２の一例を示す。基地局装置２００−２は、基地局装置２００−１と同様スマートフォンであるが、基地局装置２００−１とは契約している通信事業者が異なっている。従って、基地局装置２００−２のアップリンク側無線通信部２１２−２が接続する回線の通信規格が、基地局装置２００−１のアップリンク側無線通信部２１２−１が接続する回線とは異なっている。基地局装置２００−２が接続しうる回線の通信規格はＬＴＥ、ＥＶＤＯ(Evolution  data  only）、及びＣＤＭＡ２０００の３種類である。これら３種類の通信回線の速度は、ＬＴＥが最も早く、その次にＥＶＤＯが速い。ＣＤＭＡ２０００はこの３種類の回線の中では最も遅い。
【００３６】
また、基地局装置２００−２のアップリンク側無線通信部２１２−２を介した通信の量は、基地局装置２００−１よりも多く、最大で７ＧＢに設定されている。このように、アップリンク側の通信容量の最大値は、基地局装置の利用者と通信事業者との契約などによって変わり得る。また、基地局装置２００−２の電池残量は、基地局装置２００−１と同じ３種類に分類されているが、数値の内訳は異なっている。このように、優先度設定テーブル２５０は、異なる機種には異なる数値を設定して当該項目を分類し、暗号化方式と対応付けてもよい。また、異なる機種であっても同一の数値を設定して当該項目を分類し、同じ基準で暗号化方式を選択するようにしてもよい。
【００３７】
図４（ｃ）は、上述のとおり、基地局装置２００−２の優先度設定テーブル２５０−３の一例を示す。基地局装置２００−３は、上述の通り、モバイルルータである。この基地局装置２００−３が接続する回線の通信規格はＷｉＭＡＸ（Worldwide  interoperability  for  microwave  access）のみである。また、基地局装置２００−３の通信容量には制限がない。従って、内部状態情報２４０−３のうちの電池残量のみが３つに分類され、３種類の暗号化方式と対応付けられている。
【００３８】
以上のように、優先度設定テーブル２５０は、内部状態情報２４０各々が示す情報と暗号化方式とを対応付けて記憶する。本実施形態において、内部状態情報２４０には、電池残量情報２４２、アップリンク側回線情報２４４、残パケット量情報２４６との３種類があるため、暗号化方式の選択にもいくつかの方法がある。例えば、基地局装置２００−１の電池残量が４５％であり、アップリンク側回線がＬＴＥであり、残パケット量が０．５ＧＢである場合、内部状態情報２４０に対応付けられている暗号化方式はそれぞれＷＰＡ、ＷＰＡ２、ＷＥＰである。例えば、基地局装置２００各々の通信状態を制限しうる項目に着目して暗号化方式を選択するのであれば、優先度設定テーブル２５０−１において対応付けられている暗号化方式の中で最も暗号化強度の低い方式を選択してもよい。上述の例の場合であれば、残パケット量が０．５ＧＢであるため、これに対応するＷＥＰ暗号化方式が最も暗号化強度が低く、選択部１２０は、これを選択する。また、基地局装置２００−１は、例えば優先度設定テーブル２５０−１の中で対応付けられている暗号化方式の中で最も暗号化強度の高い方式を選択してもよい。この場合は、アップリンク側回線のＬＴＥに対応するＷＰＡ２暗号化方式を選択する。
【００３９】
また、基地局装置２００は内部状態情報２４０の全てを暗号化方式の選択に利用しなくてもよい。例えば、利用者が回線速度と残パケット量を重視する場合、当該２つの項目に対応する暗号化方式から暗号化方式を選択してもよい。また、優先度管理部２２０が管理する項目は上記の３種類の内部状態情報のみに制限しなくてもよい。例えば、本実施形態においては、優先度管理部２２０は、アップリンク側無線通信部２１２が接続する回線の通信規格を暗号化強度と対応付けて管理する。これに加え、アップリンク側の通信回線の電波状況などを分類し、より細かく暗号化強度と対応付けるなどしてもよい。
【００４０】
図５は、第１の実施形態に係る端末局装置１００による基地局装置２００の選択処理の一例を示すフローチャートである。
（ステップＳ５００）端末局装置１００の端末側無線通信部１１０は、基地局装置２００から受信したＳＳＩＤ情報と暗号化方式を示す情報とを受信し、受信した情報を無線基地局管理部１３０に出力する。無線基地局管理部１３０は、端末側無線通信部１１０から入力された情報に基づいて、端末局装置１００が接続可能な基地局装置２００を確認する。
【００４１】
（ステップＳ５０２）無線基地局管理部１３０は、無線基地局管理テーブル１４０を参照し、過去に端末局装置１００と接続が確立されたことのある基地局装置のＳＳＩＤを抽出する。なお、接続が確立されたことのある基地局装置がない場合は、ステップＳ５００に戻る。
（ステップＳ５０４）無線基地局管理部１３０は、抽出されたＳＳＩＤが１つか否かを判定する。１つの場合（ステップＳ５０４；ＹＥＳ）、ステップＳ５１０に遷移する。複数の場合（ステップＳ５０４；ＮＯ）、ステップＳ５０６に遷移する。
（ステップＳ５０６）選択部１２０は、無線基地局管理部１３０が抽出したＳＳＩＤに対応付けられている暗号化方式を確認し、その暗号化強度を比較する。
【００４２】
（ステップＳ５０８）選択部１２０は、ステップＳ５０４で比較した暗号化方式のうち最も暗号化強度が高い暗号化方式が１つか否かを判定する。暗号化強度の最も高い暗号化方式を示すＳＳＩＤが１つの場合（ステップＳ５０８；ＹＥＳ）、ステップＳ５１０に遷移する。暗号化強度の最も高い暗号化方式を示すＳＳＩＤが複数の場合（ステップＳ５０８；ＮＯ）、ステップＳ５１２に遷移する。
（ステップＳ５１０）端末局装置１００は、当該ＳＳＩＤを格納する基地局装置と接続する。
（ステップＳ５１２）端末局装置１００は、暗号化強度が最も高い暗号化方式と対応するＳＳＩＤのうちの最も直近に接続履歴のあるＳＳＩＤを格納する基地局装置に接続する。
【００４３】
以上のように、複数の基地局装置２００−１〜２００−３と端末局装置１００とが無線により通信を行う無線通信システム１において、基地局装置２００−１〜２００−３のＬＡＮ側無線通信部２１０は、複数の基地局装置２００のうちの端末局装置１００が通信を確立する基地局装置２００を選択するための優先度を示す優先度情報として通信の暗号化方式を示す情報を送信する。端末局装置１００の端末側無線通信部１１０は、複数の基地局装置２００−１〜２００−３各々から暗号化方式を示す情報を受信する。端末局装置１００の選択部１２０は、端末側無線通信部１１０が受信した暗号化方式を示す情報に基づいて複数の基地局装置２００−１〜２００−３のうちの自装置が通信を確立する基地局装置を選択する。従って、端末局装置１００は、複数の基地局装置２００から接続先として適した基地局装置を選択することができる。
【００４４】
＜第２の実施形態＞
以下、図面を参照しながら本発明の第２の実施形態について詳述する。本実施形態における無線通信システム１ａは、第１の実施形態と同様、基地局装置と端末局装置から構成される。ただし、第１の実施形態において優先度は暗号化方式によって示されたが、本実施形態において優先度はＳＳＩＤに文字や数字として付加される。図６は、本実施形態に係る無線通信システム１ａの機能構成の一例を示すブロック図である。本実施形態に係る無線通信システム１ａ（図６）と第１の実施形態に係る無線通信システム１（図３）とを比較すると、端末局装置及び基地局装置の機能が一部異なる。
【００４５】
具体的には、本実施形態に係る基地局装置２００ａの優先度管理部２２０ａの備える機能は、第１の実施形態に係る基地局装置２００の優先度管理部２２０が備える機能と一部異なる。また、本実施形態に係る基地局装置２００ａは優先度情報付加部２７０を備える。また、本実施形態に係る基地局装置２００ａの優先度設定テーブル２５０ａは、第１の実施形態に係る基地局装置２００の優先度設定テーブル２５０と内容が異なる。第１の実施形態に係る基地局装置２００の優先度設定テーブル２５０は、内部状態情報２４０と暗号化方式各々とを対応付けて記憶するが、本実施形態に係る基地局装置２００ａの優先度設定テーブル２５０ａは、内部状態情報２４０の各項目と優先度を示す優先度情報各々とを対応付けて記憶する。しかし、基地局装置２００ａの他の構成要素（ＬＡＮ側無線通信部２１０、アップリンク側無線通信部２１２、電池監視部２３２、回線速度監視部２３４、通信量監視部２３６、及び記憶部２０４）が備える機能は第１の実施形態の基地局装置２００の各構成要素の持つ機能と同じである。
【００４６】
本実施形態に係る端末局装置１００ａの選択部１２０ａ及び無線基地局管理部１３０ａ各々が持つ機能は、第１の実施形態に係る端末局装置１００の選択部１２０及び無線基地局管理部１３０各々が持つ機能と一部異なる。端末局装置１００ａの他の構成要素（端末側無線通信部１１０及び記憶部１０４）が備える機能は第１の実施形態の端末局装置１００の各構成要素の備える機能と同じである。以下、機能が同じ構成要素については同一の符号を使用し、説明を省略する。
【００４７】
本実施形態に係る優先度管理部２２０ａは、内部状態情報２４０を記憶部２０４から取得する。優先度管理部２２０ａは、優先度設定テーブル２５０ａを参照し、取得した内部状態情報２４０の各項目に対応付けられている優先度情報を取得する。また、優先度管理部２２０ａは、取得した優先度情報を優先度情報付加部２７０に出力する。優先度情報付加部２７０は、記憶部２０４に格納されているＳＳＩＤ情報２８０を参照し、当該ＳＳＩＤ情報が示すＳＳＩＤに優先度情報を付加したＳＳＩＤを示す優先度付ＳＳＩＤ情報を生成し、ＬＡＮ側無線通信部２１０に出力する。ＬＡＮ側無線通信部２１０は、優先度情報付加部２７０から入力された優先度付ＳＳＩＤ情報と基地局装置２００ａが対応可能な暗号化方式を示す情報を端末局装置１００ａに送信する。なお、本実施形態において、ここで送信される暗号化方式を示す情報は、優先度情報と無関係であってもよい。
【００４８】
端末局装置１００ａの端末側無線通信部１１０は、複数の基地局装置２００ａからＳＳＩＤ情報と暗号化方式を示す情報とを受信し、無線基地局管理部１３０ａに出力する。無線基地局管理部１３０ａは、端末側無線通信部１１０から入力されたＳＳＩＤ情報を解析し、基地局装置２００ａを示すＳＳＩＤと、ＳＳＩＤに付加された優先度情報とを取得する。また、無線基地局管理部１３０ａは、無線基地局管理テーブル１４０ａを参照し、取得したＳＳＩＤのうちの端末局装置１００ａが過去に接続したことのある基地局装置２００ａを示すＳＳＩＤを抽出する。無線基地局管理部１３０ａは、抽出したＳＳＩＤと対応する優先度情報とを選択部１２０ａに出力する。選択部１２０ａは、無線基地局管理部１３０ａから入力された優先度情報を比較し、接続先の基地局装置２００ａのＳＳＩＤを選択する。
【００４９】
図７は、本実施形態に係る優先度の設定方法の一例を説明する図である。図７（ａ）は、基地局装置２００ａの優先度設定テーブル２５０ａの一例を示す図である。列Ｃ７００は優先度を示す。また、列Ｃ７０２は電池残量を示す。また、列Ｃ７０４はアップリンク側回線の通信規格を示す。また、列Ｃ７０６は残パケット量を示す。本実施形態における優先度設定テーブル２５０ａには、内部状態情報２４０の各項目が優先度と対応付けられている。この優先度設定テーブル２５０ａに基づいて、基地局装置２００ａは、内部状態情報２４０から優先度情報を生成する。
【００５０】
図７（ｂ）は、優先度情報を付加したＳＳＩＤを生成する方法を説明する表である。この図において、列Ｃ７１０は３つの基地局装置２００ａ各々のＳＳＩＤを示す。また、列Ｃ７１２は電池残量情報２４２が示す電池残量を示す。また、列Ｃ７１４はアップリンク側回線情報２４４が示すアップリンク側無線通信部２１２が接続している回線の通信規格を示す。また、列Ｃ７１６は残パケット量情報２４６が示す残パケット量を示す。また、列Ｃ７１８は、基地局装置２００ａのＳＳＩＤに優先度情報を付加したＳＳＩＤを示す。優先度管理部２２０ａは、列Ｃ７１２、列Ｃ７１４、及び列Ｃ７１６の該当項目を記憶部２０４の内部状態情報２４０から取得し、優先度設定テーブル２５０ａ（図７（ａ））を参照することで、各項目毎に優先度を取得する。
【００５１】
図７（ｂ）において、ＳＳＩＤが「Ｐｈｏｎｅ１」で示される基地局装置２００ａを例に説明する。「Ｐｈｏｎｅ１」の電池残量は７０％であるため、電池残量についての優先度は「１」である。また、アップリンク側回線はＬＴＥであるため、アップリンク側回線についての優先度は「１」である。また、残パケット量は１．５ＧＢであるため、残パケット量についての優先度は「２」である。電池残量をＢで示し、アップリンク側回線をＬで示し、残パケット量をＰで示すと、それぞれについての優先度はＢ１、Ｌ１、Ｐ２で示される。優先度管理部２２０ａはこのようにして生成した優先度を示す優先度情報を優先度情報付加部２７０に出力する。優先度情報付加部２７０は、基地局装置２００ａのＳＳＩＤ「Ｐｈｏｎｅ１」に、優先度管理部２２０ａから入力された優先度情報を付加した優先度付ＳＳＩＤ「Ｐｈｏｎｅ１＿Ｂ１＿Ｌ１＿Ｐ２」（列Ｃ７１８）を生成し、ＬＡＮ側無線通信部２１０に出力する。端末局装置１００ａは、上述のように、ＳＳＩＤに付加された優先度情報を比較し、接続を行うＳＳＩＤを格納する基地局装置２００ａを選択する。優先度情報に基づく基地局装置２００ａの選択は、第１の実施形態のように、３つの内部状態情報２４０のうち最も優先度の低い項目同士を比較したり、各項目の優先度の総和に基づいて選択を行ったりしてよく、選択方法に特に制限はない。
【００５２】
なお、上述した実施形態における基地局装置２００、２００ａや端末局装置１００、１００ａの一部、例えば、電池監視部２３２、回線速度監視部２３４、通信量監視部２３６、優先度管理部２２０、２２０ａ、優先度情報付加部２７０、選択部１２０、１２０ａ、及び無線基地局管理部１３０、１３０ａをコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【００５３】
なお、ここでいう「コンピュータシステム」とは、基地局装置２００、２００ａ又は端末局装置１００、１００ａに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００５４】
また、上述した実施形態における基地局装置２００、２００ａ及び端末局装置１００、１００ａの一部、または全部を、ＬＳＩ（大規模集積回路）等の集積回路として実現してもよい。基地局装置２００、２００ａ及び端末局装置１００、１００ａの各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００５５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５６】
１００、１００ａ‥端末局装置、１１０‥端末側無線通信部、１２０、１２０ａ‥選択部、１３０、１３０ａ‥無線基地局管理部、１４０、１４０ａ‥無線基地局管理テーブル、２００、２００ａ‥基地局装置、２１０‥ＬＡＮ側無線通信部、２１２‥アップリンク側無線通信部、２２０、２２０ａ‥優先度管理部、２３２‥電池監視部、２３４‥回線速度監視部、２３６‥通信量監視部、２５０、２５０ａ‥優先度設定テーブル、２７０‥優先度情報付加部
【図１】
2015046841.tif 000003
【図２】
2015046841.tif 000004
【図３】
2015046841.tif 000005
【図４】
2015046841.tif 000006
【図５】
2015046841.tif 000007
【図６】
2015046841.tif 000008
【図７】
2015046841.tif 000009